(57)【要約】【課題】通信を行うことができない場所や通信を行う必要が無い場所において、通信モジュールの機能を無効にして、携帯端末の消費電力を抑える。提供されている無線通信サービスにあわせて、利用する複数の通信手段の優先度を自動的に選択設定する。【解決手段】携帯端末１００に搭載された非接触ＩＣモジュール１７０を使用した際、ＩＣカードリーダ／ライタ２３０が付近で提供されている通信サービスの情報を携帯端末１００に通知する。制御部１１０は、その情報にしたがって携帯端末通信モジュール１２０の電源をＯＮにして機能を有効とし、必要な設定を行う。もしくは、非接触ＩＣモジュール１７０が使用された場合、携帯端末１００の通信モジュール１２０，１６０の動作状態を変更させる。【選択図】図１
2007243844.tif 000002
【特許請求の範囲】
【請求項１】
ＩＣモジュールと、
データを送受信する無線通信モジュールと、
端末に搭載された無線通信モジュールの機能の有効／無効を切り替えるモジュール制御部と、
を備えた携帯端末において、
前記ＩＣモジュールは、外部の前記ＩＣカードリーダ／ライタと通信を行い、
前記モジュール制御部は、前記ＩＣモジュールの通信に従って、前記無線通信モジュールの機能を有効にする、ことを特徴とする携帯端末。
【請求項２】
前記ＩＣカードリーダ／ライタは、それが設置された付近の場所での前記無線通信サービスの提供状況を示す無線サービス提供状況情報を前記ＩＣモジュールに送信し、
前記ＩＣモジュールは、受信した前記無線通信サービスの提供状況情報を前記モジュール制御部に送信し、
前記モジュール制御部は、前記無線通信サービス提供状況情報より、前記無線通信サービスが提供されているか否かを判別し、提供されていると判別した場合、前記無線通信モジュールの機能を有効にし、提供されていないと判別した場合、前記無線通信モジュールの機能を無効にする、ことを特徴とする請求項１に記載の携帯端末。
【請求項３】
前記モジュール制御部は、前記無線通信サービス提供状況情報に従って、その場所で前記無線通信サービスが提供されていると判明した場合、前記無線通信モジュールの電源をオンし、提供されていないと判別した場合、前記無線通信モジュール電源をオフにする、
ことを特徴とする請求項２に記載の携帯端末。
【請求項４】
前記モジュール制御部には、該携帯端末が加入している前記無線通信サービスを示す所定の情報がセットされており、
前記モジュール制御部は、前記無線通信サービス提供状況情報から、前記無線通信サービスが提供されていると判別したとき、この携帯端末が前記無線通信サービスに加入しているか否かを前記所定情報に基づいて判別し、加入していれば前記無線通信モジュールの機能を有効とし、加入していなければ、前記無線通信モジュールの機能を無効とする、
ことを特徴とする請求項２又は３に記載の携帯端末。
【請求項５】
前記モジュール制御部は、前記無線通信サービスが提供されているが、この携帯端末が前記無線通信サービスに加入していない場合に、利用可能な前記無線通信サービスが存在することを前記端末のユーザに通知する手段を備える、ことを特徴とする請求項４に記載の携帯端末。
【請求項６】
前記無線通信サービス提供状況情報は、前記無線通信サービスを利用する際に必要となる設定情報を含み、
前記モジュール制御部は、前記無線通信サービス提供状況情報から、前記無線通信サービスが提供されていると判別した場合に、受信した提供情報に含まれている設定情報に従って、前記無線通信モジュールの設定を行う、
ことを特徴とする請求項２乃至５のいずれか１項に記載の携帯端末。
【請求項７】
前記モジュール制御部は、前記無線通信モジュールの電源がオンになっているとき、所定の時間以上、前記無線通信サービスを利用しない場合、前記無線通信モジュールの電源をオフする、ことを特徴とする請求項２乃至６のいずれか１項に記載の携帯端末。
【請求項８】
前記ＩＣモジュールは、通信を行ったときに、通信を行ったことを前記モジュール制御部に通知し、
前記モジュール制御部は、前記ＩＣモジュールが通信を行ったことを通知されたとき、前記無線通信モジュールの機能を有効にする、
ことを特徴とする請求項１に記載の携帯端末。
【請求項９】
前記モジュール制御部は、前記無線通信モジュールの機能を有効にするためにその電源をオンし、前記無線通信モジュールの機能を無効にするためにその電源をオフする、ことを特徴とする請求項８に記載の携帯端末。
【請求項１０】
前記モジュール制御部は、前記ＩＣモジュールが通信を行ったことを通知され、かつ、前記無線通信モジュールの機能が無効であるときに、前記無線通信モジュールの機能を有効にする、ことを特徴とする請求項８又は９に記載の携帯端末。
【請求項１１】
前記無線通信モジュールは、動作状態を有効と無効との間で変更することができ、
前記モジュール制御部は、前記ＩＣモジュールが通信を行ったことを通知されたときに前記無線通信モジュールの動作状態を変更する、ことを特徴とする請求項８又は９に記載の携帯端末。
【請求項１２】
前記モジュール制御部は、前記無線通信モジュールの機能が有効になっているとき、所定の時間以上、前記無線通信モジュールが前記無線通信サービスを利用できない場合、前記無線通信モジュールの動作状態を変更する、ことを特徴とする請求項８乃至１１のいずれか１項に記載の携帯端末。
【請求項１３】
前記無線通信モジュールは、無線通信システムの捕捉のために行う動作の頻度を変更する機能を備え、
前記モジュール制御部は、前記ＩＣモジュールが通信を行ったことを通知されたとき、前記無線通信モジュールが無線通信システムの捕捉のために行う動作の頻度を変更する、ことを特徴とする請求項８乃至１２のいずれか１項に記載の携帯端末。
【請求項１４】
前記無線通信モジュールは、それぞれ優先度を持った複数の無線通信機能を持ち、
前記モジュール制御部は、前記ＩＣモジュールが通信を行ったことを通知されたとき、前記複数の無線通信機能のそれぞれの優先度を変更する、
ことを特徴とする請求項８乃至１３のいずれか１項に記載の携帯端末。
【請求項１５】
前記無線通信モジュールは、それぞれ優先度を持った複数の無線通信モジュールから構成され、
前記モジュール制御部は、前記ＩＣモジュールが通信を行ったことを通知されたとき、前記複数の無線通信モジュールの優先度を変更する、
ことを特徴とする請求項８乃至１３のいずれか１項に記載の携帯端末。
【請求項１６】
コンピュータを、請求項１乃至１５のいずれか１項に記載の携帯端末として動作させるためのコンピュータプログラム。
【発明の詳細な説明】
【技術分野】
【０００１】
この発明は、携帯電話機、PHS（Personal Handyphone System）、携帯情報端末(PDA; Personal Data Assistance)などの携帯端末に関わり、特に、通信を行うＩＣモジュールを搭載した携帯端末に関する。
【背景技術】
【０００２】
特許文献１に開示されている携帯電話は、特定の場所に入退場する際にＩＣカード使うことにより、携帯電話のある場所を検出し、メモリが保持する識別データに基づいて、その場所での通話動作を禁止したり許可したりする。
【０００３】
また、特許文献２に開示されている携帯電話は、特定の場所に入退場する際にＩＣカード使うことにより、携帯電話のある場所や時間を検出し、携帯電話の動作モードをその場所や時間に相応しいもの、例えば、マナーモードに変更する。
【特許文献１】特開平１０−１９１４５４号公報
【特許文献２】特開２００４−３４９９９４号公報
【発明の開示】
【発明が解決しようとする課題】
【０００４】
従来の技術では、通信を行うことができない場所や、通信を行う必要が無い場所においても、通信が許可されていれば通信モジュールの電源をオンして、機能を有効にする。そのため、携帯端末の消費電力が増大してしまう。
【０００５】
また、複数の通信手段を備えている端末の場合、提供されている無線通信サービスにあわせて、利用する通信手段の優先度をユーザが手動で設定しなければならず、手間がかかり、利便性が低いという問題があった。
【０００６】
本発明はこの点に着目してなされたもので、携帯端末の消費電力を抑えることを目的とする。
また、本発明は、通信モジュールが動作する必要がないときに、その通信モジュールの機能を無効・オフにしたり、動作状態を変更したりすることができる携帯端末を提供することを他の目的とする。
また、本発明は、利便性の高い携帯端末を提供することも目的とする。
さらに、本発明は、自動的に複数の通信手段の優先度を変更可能とすることを目的とする。
【課題を解決するための手段】
【０００７】
上記目的を達成するため、この発明の携帯端末は、
ＩＣモジュールと、
データを送受信する無線通信モジュールと、
端末に搭載された無線通信モジュールの機能の有効／無効を切り替えるモジュール制御部と、
を備えた携帯端末であって、
前記ＩＣモジュールは、外部の前記ＩＣカードリーダ／ライタと通信を行い、
前記モジュール制御部は、前記ＩＣモジュールの通信に従って、前記無線通信モジュールの機能を有効にする。
【０００８】
例えば、前記ＩＣカードリーダ／ライタは、それが設置された付近の場所での前記無線通信サービスの提供状況を示す無線サービス提供状況情報を前記ＩＣモジュールに送信し、前記ＩＣモジュールは、受信した前記無線通信サービスの提供状況情報を前記モジュール制御部に送信し、前記モジュール制御部は、前記無線通信サービス提供状況情報より、前記無線通信サービスが提供されているか否かを判別し、提供されていると判別した場合、前記無線通信モジュールの機能を有効にし、提供されていないと判別した場合、前記無線通信モジュールの機能を無効にする。
【０００９】
例えば、前記モジュール制御部は、前記無線通信サービス提供状況情報に従って、その場所で前記無線通信サービスが提供されていると判明した場合、前記無線通信モジュールの電源をオンし、提供されていないと判別した場合、前記無線通信モジュール電源をオフにする。
【００１０】
例えば、前記モジュール制御部には、該携帯端末が加入している前記無線通信サービスを示す所定の情報がセットされており、前記モジュール制御部は、前記無線通信サービス提供状況情報から、前記無線通信サービスが提供されていると判別したとき、この携帯端末が前記無線通信サービスに加入しているか否かを前記所定情報に基づいて判別し、加入していれば前記無線通信モジュールの機能を有効とし、加入していなければ、前記無線通信モジュールの機能を無効とする。
【００１１】
例えば、前記モジュール制御部は、前記無線通信サービスが提供されているが、この携帯端末が前記無線通信サービスに加入していない場合に、利用可能な前記無線通信サービスが存在することを前記端末のユーザに通知する手段を備える。
【００１２】
例えば、前記無線通信サービス提供状況情報は、前記無線通信サービスを利用する際に必要となる設定情報を含み、前記モジュール制御部は、前記無線通信サービス提供状況情報から、前記無線通信サービスが提供されていると判別した場合に、受信した提供情報に含まれている設定情報に従って、前記無線通信モジュールの設定を行う。
【００１３】
例えば、前記モジュール制御部は、前記無線通信モジュールの電源がオンになっているとき、所定の時間以上、前記無線通信サービスを利用しない場合、前記無線通信モジュールの電源をオフする。
【００１４】
例えば、前記ＩＣモジュールは、通信を行ったときに、通信を行ったことを前記モジュール制御部に通知し、前記モジュール制御部は、前記ＩＣモジュールが通信を行ったことを通知されたとき、前記無線通信モジュールの機能を有効にする。
【００１５】
例えば、前記モジュール制御部は、前記無線通信モジュールの機能を有効にするためにその電源をオンし、前記無線通信モジュールの機能を無効にするためにその電源をオフする。
【００１６】
例えば、前記モジュール制御部は、前記ＩＣモジュールが通信を行ったことを通知され、かつ、前記無線通信モジュールの機能が無効であるときに、前記無線通信モジュールの機能を有効にする。
【００１７】
前記無線通信モジュールは、動作状態を有効と無効との間で変更することができ、前記モジュール制御部は、前記ＩＣモジュールが通信を行ったことを通知されたときに前記無線通信モジュールの動作状態を変更する。
【００１８】
例えば、前記モジュール制御部は、前記無線通信モジュールの機能が有効になっているとき、所定の時間以上、前記無線通信モジュールが前記無線通信サービスを利用できない場合、前記無線通信モジュールの動作状態を変更する。
【００１９】
例えば、前記無線通信モジュールは、無線通信システムの捕捉のために行う動作の頻度を変更する機能を備え、前記モジュール制御部は、前記ＩＣモジュールが通信を行ったことを通知されたとき、前記無線通信モジュールが無線通信システムの捕捉のために行う動作の頻度を変更する。
【００２０】
例えば、前記無線通信モジュールは、それぞれ優先度を持った複数の無線通信機能を持ち、前記モジュール制御部は、前記ＩＣモジュールが通信を行ったことを通知されたとき、前記複数の無線通信機能のそれぞれの優先度を変更する。
【００２１】
例えば、前記無線通信モジュールは、それぞれ優先度を持った複数の無線通信モジュールから構成され、前記モジュール制御部は、前記ＩＣモジュールが通信を行ったことを通知されたとき、前記複数の無線通信モジュールの優先度を変更する。
【００２２】
コンピュータを、上記携帯端末として動作させるためのコンピュータプログラムを作成し、配布し、貸与し、コンピュータにインストールして使用してもよい。
【発明の効果】
【００２３】
この発明による携帯端末は、通信を行う必要の無いとき、通信モジュールの機能を無効にでき、消費電力の削減を行うことが可能となる。
【発明を実施するための最良の形態】
【００２４】
図１は、この発明の実施の形態に係る携帯端末１００の構成を示すブロック図である。
図１に示すように、携帯端末１００は、制御部１１０と、携帯端末通信モジュール１２０と、記憶部１３０と、表示部１４０と、入力部１５０と、広域無線通信モジュール１６０と、非接触ＩＣモジュール１７０と、から構成される。
【００２５】
制御部１１０は例えば演算処理等を行うＣＰＵ１１１や、動作プログラムを格納するROM (Read Only Memory)１１２、ワーキングメモリとして機能するRAM (Random Access Memory)１１３等を有する装置である。
制御部１１０は、以下の各装置と接続し、各装置を制御する。例えば、制御部１１０は、非接触ＩＣモジュール１７０を制御して、非接触ＩＣモジュール１７０本来の処理、例えば、本人認証、電子マネーのチャージ・引き落とし等の制御を実行する。また、制御部１１０は、非接触ＩＣモジュール１７０を介して外部のＩＣカードリーダ／ライタ２３０から提供された無線通信サービスの提供状況情報に基づいて、近傍で提供されているW-LANサービスの内容を判別し、携帯端末通信モジュール１２０の電源をオン・オフしたり、携帯端末通信モジュール１２０と広域無線通信モジュールとの間の優先度の切り換え（どちらを使用するかの切り換え）の制御などを行う。
【００２６】
携帯端末通信モジュール１２０は制御部１１０の要求に応じ外部の機器、主に、W-LAN 基地局２１０と通信する。携帯端末通信モジュール１２０はBluetooth（登録商標）、W-LAN（Wireless Local Area Network）などの近距離通信・狭域通信を行うデバイスから構成される。ここでは、W- LANを備えているものとする。
【００２７】
記憶部１３０は例えばフラッシュメモリ１３１、ハードディスク、光ディスク等から構成され、サービス加入情報や通信によって取得したデータ等を記憶しており、制御部１１０の要求に応じ、要求されたデータを制御部１１０に転送する。
【００２８】
表示部１４０は液晶ディスプレイ（ＬＣＤ）装置１４１や有機ＥＬ(Electro Luminescence)によるディスプレイ装置から構成され、制御部１１０の要求に応じて制御部１１０が検索したサービス加入情報や通信によって取得したデータ等を表示する。
【００２９】
入力部１５０はユーザが携帯端末に情報を入力するときに使用する。入力部１５０としては、例えばキーボード１５１、各種釦、ソフトキー、タッチパネル１５２、音声入力装置等を用いる。
【００３０】
広域無線通信モジュール１６０は、制御部１１０の要求に応じ広域無線網を通して通信を行う。広域無線通信モジュール１６０が使用する広域無線網通信システムとしては携帯電話無線システムを用いる。この場合、広域無線通信モジュール１６０は、例えば、携帯電話システム無線基地局２２０との間で通信を行う。
【００３１】
非接触ＩＣモジュール１７０は、所謂非接触ＩＣカード等から構成され、外部のＩＣカードリーダ／ライタ２３０に近づけられたとき、そのＩＣカードリーダ／ライタ２３０と通信を行う。この通信のフォーマットや内容は任意であるが、非接触ＩＣモジュール１７０の本来の任務のための情報（例えば、本人確認、保持している電子マネーの消費等）に加えて、その付近の無線通信サービスの提供状況情報を含む。提供状況情報は、例えば、近傍で提供されているW-LANの有無、W-LANの識別情報、W-LANを利用するための種々の設定情報などを含む。非接触ＩＣモジュール１７０は、取得した情報を制御部１１０に転送する。また、制御部１１０の要求に従ってデータを送受信する。
なお、非接触ＩＣモジュール１７０の外形形状は、任意であり、カード状でも、棒状でもよい。
【００３２】
図１に示した例では、携帯端末１００が表示装置を備えているが、これに限定されるものではない。携帯端末１００とは別に、表示装置や音声出力装置を設けてもよい。この場合、表示装置や音声出力装置にサービス加入情報や通信によって取得したデータ等を出力する出力装置を携帯端末に設ける。
【００３３】
図１に示した例では、携帯端末１００は、携帯端末通信モジュール１２０と広域無線通信モジュール１６０との２つの通信モジュールを備えている。携帯端末通信モジュール１２０は高速な通信が可能だが、通信可能エリアが狭いものとする。広域無線通信モジュール１６０は通信可能エリアが携帯端末通信モジュール１２０よりも広いが、低速な通信しかできないものとする。
【００３４】
また、携帯端末通信モジュール１２０は、携帯端末通信モジュール１２０に対応した無線通信サービスが提供されていないエリアに所定の時間以上存在した場合、それを制御部１１０に通知する。制御部１１０は、この通知に応答して、携帯端末通信モジュール１２０の電源をＯＦＦ（オフ）にし、機能を無効にする。ここで、携帯端末通信モジュール１２０の電源をオフするまでの所定の時間を３０秒とするが、この値自体は任意であり、また、この所定の時間を、ユーザが入力部１５０を操作して変更したり、制御部１１０の制御で変更するようにしても良い。
【００３５】
非接触ＩＣモジュール１７０と外部のＩＣカードリーダ／ライタが送受信するデータは無線通信サービスの提供状況情報に限るものではなく、その他のデータを送受信しても良い。また、無線通信サービスの提供状況情報とともに、その他のデータを送受信しても良い。例えば、無線通信サービスの提供状況情報とともに携帯端末の所有者情報をやり取りしても良い。
【００３６】
図２は携帯端末１００の動作を示すフローチャートである。以下図２を参照しながら本発明に係る携帯端末１００の動作を説明する。
携帯端末１００の電源投入後、制御部１１０は、初期設定などの処理を終了した後、他の処理と並列的に図２のフローチャートに示す通信モジュール制御処理を繰り返して実行する。
【００３７】
まず、制御部１１０は、広域無線通信モジュール１６０すなわち携帯電話無線システムの電源をＯＮにし、記憶部１３０、表示部１４０、入力部１５０、広域無線通信モジュール１６０、非接触ＩＣモジュール１７０に電力を供給する（ステップＳ２００）。その後、制御部１１０は、非接触ＩＣモジュール１７０が近隣のＩＣカードリーダ／ライタからデータを受信するまで待機する（ステップＳ２０１）。非接触ＩＣモジュール１７０がデータを受信すると、非接触ＩＣモジュール１７０は、受信データを制御部１１０に提供する。前述のように、このＩＣカードリーダ／ライタは、その近傍で提供されている無線通信サービスの提供状況を示す提供状況情報を送信している。
【００３８】
制御部１１０は、非接触ＩＣモジュール１７０がデータを受信したことを判別し（ステップＳ２０１；Ｙｅｓ）、制御部１１０はそのデータ、特に、提供状況情報を解析しW-LANサービスが存在するかを調べる（ステップＳ２０２）。W-LANサービスが存在していると判別した場合（ステップＳ２０２；Ｙｅｓ）、即ち、ＩＣカードリーダ／ライタが、W-LANサービスが存在していることを示す提供状況情報を送信している場合、制御部１１０は携帯端末通信モジュール１２０すなわちW-LANモジュールの電源をＯＮにしてその機能を有効にし（ステップＳ２０３）、端末通信モジュール１２０の機能が有効であることを表示部１４０に表示させる。
【００３９】
続いて、携帯端末通信モジュール１２０が、携帯端末通信モジュール１２０が機能していない所定時間（ここでは、３０秒）を計測するための内部タイマーをスタートさせる（ステップＳ２０４）。その後、制御部１１０は携帯端末通信モジュール１２０がW-LAN基地局（２１０）を捕捉していてW-LAN通信が可能かどうかを、携帯端末通信モジュール１２０と通信を行って判別する（ステップＳ２０６）。携帯端末通信モジュール１２０がW-LAN基地局（２１０）を捕捉していてW-LAN通信が可能であれば（ステップＳ２０６；Ｙｅｓ）、タイマーをストップさせ（ステップＳ２０５）、再びタイマーをスタートさせる（ステップＳ２０４）。
【００４０】
一方、W-LAN基地局を捕捉しておらず、W-LAN通信が不可能であれば（ステップＳ２０６；Ｎｏ）、タイマースタートが３０秒を計時したか否か、即ち、タイマースタートから３０秒が経過したかどうかを判別する（ステップＳ２０７）。３０秒が経過していなければ（ステップＳ２０７；Ｎｏ）、携帯端末通信モジュール１２０がW-LAN基地局を捕捉していてW-LAN通信が可能かどうか再び確認する（ステップＳ２０６）。経過していれば（ステップＳ２０７；Ｙｅｓ）、タイマーをストップさせ（ステップＳ２０８）、携帯端末通信モジュール１２０の電源をＯＦＦにしてその機能を無効にし（ステップＳ２０９）、携帯端末通信モジュール１２０の機能が無効であることを表示部１４０に表示させる。
【００４１】
その後、フローはステップＳ２０１に戻り、上述の処理を繰り返す。
【００４２】
このような構成によれば、外部に設置されたＩＣカードリーダ／ライタから情報により、近傍において、Ｗ−ＬＡＮサービスが存在すると判別されたときに、携帯端末通信モジュール１２０の電源がＯＮされ、その機能が有効となる。また、Ｗ−ＬＡＮサービスが存在しない場合や使用されていない場合には、携帯端末通信モジュール１２０の電源がＯＦＦされる。従って、携帯端末通信モジュール１２０は、それが使用可能な状態にあるときにのみ電源がＯＮとなってその機能が有効にされる。従って、不要な電力の消費を抑えることができる。
【００４３】
なお、図２の例において、携帯端末通信モジュール１２０の電源ＯＮ／ＯＦＦは、ユーザの入力部１５０への入力を受けて、制御部１１０が制御してもよい。
【００４４】
この場合、例えば、図３（ａ）に示すように、ステップＳ２０２で、Ｙｅｓ（Ｗ−ＬＡＮサービスが存在する）と判別された際に、「Ｗ−ＬＡＮサービスを使用しますか？」等のメッセージを表示部１４０のＬＣＤ１４１に表示し（ステップＳ２１１）、使用者が入力部１５０を操作して使用すること或いは電源ＯＮを指示したときに（ステップＳ２１２；Ｙｅｓ）、携帯端末通信モジュール１２０の電源を投入する（ステップＳ２０３）。使用者が使用しないこと或いは電源ＯＦＦを指示したときに（ステップＳ２１２；Ｎｏ）は、ステップＳ２０１にリターンし、携帯端末通信モジュール１２０の電源をＯＦＦに維持する。
【００４５】
また、例えば、図３（ｂ）に示すように、ステップＳ２０８で、タイマーをストップした後、ステップＳ２１３で、「Ｗ−ＬＡＮをＯＦＦします。よろしいですか？」等のメッセージを表示部１４０のＬＣＤ１４１に表示し、使用者が入力部１５０を操作して、ＯＦＦすることを指示したときに（ステップＳ２１４；Ｙｅｓ）、携帯端末通信モジュール１２０で電源をＯＦＦする（ステップＳ２０９）。使用者が、ＯＦＦすることを否定したときには（ステップＳ２１４；Ｎｏ）、携帯端末通信モジュール１２０で電源をＯＮ状態に維持する。
【００４６】
また、例えば、Ｗ−ＬＡＮサービスの利用に利用登録が必要であるような場合には、図４に示すように、ステップＳ２０２’で、Ｗ−ＬＡＮサービスが存在し、且つ、自携帯端末１００が加入者であるか否か（又は、加入を要件としない）を判別すればよい。そして、Ｗ−ＬＡＮサービスが存在し、且つ、自携帯端末１００が加入者である（又は、加入を要件としない）と判別した場合にのみＷ−ＬＡＮサービスを享受するために携帯端末通信モジュール１２０をＯＮすればよい。
【００４７】
自携帯端末１００がＷ−ＬＡＮサービスの会員であるか否かは、例えば、ＩＣカードリーダ／ライタ２３０から通知された提供されているＷ−ＬＡＮサービスの識別情報が自携帯端末１００のフラッシュメモリ１３１に予め登録されているか否かを判別すること、等により、判別可能である。
【００４８】
また、Ｗ−ＬＡＮサービスの利用に登録が必要であり、自携帯端末１００が未登録であると判別した場合に、登録を行うか否かをユーザに問い合わせ、ユーザが登録を行った場合には、携帯端末通信モジュール１２０の電源をＯＮするようにしてもよい。
【００４９】
この場合には、例えば、図５に示すように、ステップＳ２０２で、Ｗ−ＬＡＮサービスが存在すると判別した場合（ステップＳ２０２；Ｙｅｓ）、さらに、自携帯端末１００が通知されたＷ−ＬＡＮサービスの利用契約をしているか（利用権限を有するか）否かを判別する（ステップＳ２２１）。利用契約をしている（利用権限を有する：例えば、既に会員である、全員に開放している等）と判別した場合には（ステップＳ２２１；Ｙｅｓ）、ステップＳ２０３に進んで、携帯端末通信モジュール１２０をＯＮする。一方、自携帯端末１００が通知されたＷ−ＬＡＮサービスの利用契約をしていない（利用権限を有しない）と判別した場合（ステップＳ２２１；Ｎｏ）、「Ｗ−ＬＡＮサービスが提供されています。利用登録をしますか？」等の告知メッセージ（勧誘メッセージ、推奨メッセージ）を表示部１４０のＬＣＤ１４１に表示し（ステップＳ２２２）、使用者が入力部１５０を操作して使用すること或いは電源ＯＮを指示したときに（ステップＳ２２３；Ｙｅｓ）、ＩＣカードリーダ／ライタ２３０からの通知に沿って、利用登録用のＷｅｂページにアクセスして、表示するようにすればよい（ステップＳ２２４）。
【００５０】
そして、利用者が利用登録用Ｗｅｂページ上で必要な入力動作などを行って、利用登録が完了すると、携帯端末通信モジュール１２０の電源をＯＮし、利用登録を行わない場合には、携帯端末通信モジュール１２０のＯＦＦ状態を維持する。
【００５１】
（応用例）
以下、図１及び図２に示す携帯端末１００の具体的な応用例について説明する。
図６に携帯端末の所有者情報をあるエリア（例えば、部屋、駅の改札内）への入場管理に使用する例を示す。
【００５２】
この例では、入場管理装置３００は、あるエリアへの入り口には電子的に鍵の開閉を制御でき閉じられたとき自動で鍵が掛かるドア（ゲート）３０１と、ドア３０１の横に設置されたＩＣカードリーダ／ライタ３０２と、ドア開閉制御装置３０３とが設置されている。
【００５３】
この例では、あるエリアは、例えば、任意の施設、任意のビル、部屋、駅のホーム等である。
ドア３０１は、エリアの入り口に設置され、電子的に鍵の開閉を制御でき、閉じられたとき自動で鍵が掛かる構成のものである。ＩＣカードリーダ／ライタ３０２は、ドア３０１の横に設置されている。ドア開閉制御装置３０３は、ドア３０１に近づいた人物の所持する携帯端末１００の非接触ＩＣモジュール１７０とＩＣカードリーダ／ライタ３０２との間で通信を行い、ドア３０１に近づいた人物が所持する携帯端末の所有者情報を取得し、そのエリアに進入を許可された人物であればドア３０１の鍵を開錠する。この場合、非接触ＩＣモジュール１７０には、例えば、認証情報と認証プログラム、入場料に相当する課金情報等が格納されている。
【００５４】
また、ドア開閉制御装置３０３は、ドア３０１に近づいた人物がそのエリアに進入を許可された人物であった場合（或いは、例えば、入場料が引き落としできた場合）、エリア内で提供されている無線通信サービスを示す無線通信サービス情報をＩＣカードリーダ／ライタ３０２によって非接触ＩＣモジュール１７０に送信する。ドア３０１に近づいた人物が所持する携帯端末１００の制御部１１０は受信した無線通信サービス情報を解析し、携帯端末１００が具備する携帯端末通信モジュール１２０がその通信サービスを利用することができるとき、携帯端末通信モジュール１２０の電源をＯＮにして、その機能を有効にして、通信ができるようにする。
【００５５】
図６の例において、あるエリアへの入り口に設置され、入場の制限をするドア３０１は、一般のドアに限るものではなく、例えば、駅の自動改札機やビルの入門ゲートのように、棒状や板状の物体で通行を遮断できるものでも良い。
【００５６】
所定エリアが例えば、駅の改札内である場合、ドア３０１は、例えば、駅の自動改札機から構成され、非接触ＩＣモジュール１７０は、例えば、ＩＣカードから構成されたプリペイド式の乗車件や定期乗車券、或いは、後払い式の乗車券や定期乗車券から構成される。そして、ドア開閉制御装置３０３は、ＩＣカードリーダ／ライタ３０２を介して非接触ＩＣモジュール１７０と交信を行って、改札内に入場する権利を有するか否か（定期券を持っているか、或いは、運賃の引き落としができたか否かなど）を判別し、入場する権利を有すると判別すると、自動改札機のゲート３０１を開き、ゲート３０１を通過するとゲートを閉じる。また、ドア開閉制御装置３０３は、改札内への進入を許可された人物であった場合、ホーム等で提供されている無線通信サービスを示す無線通信サービス情報をＩＣカードリーダ／ライタ３０２によって非接触ＩＣモジュール１７０に送信する。ゲート３０１に近づいた人物が所持する携帯端末１００の制御部１１０は受信した無線通信サービス情報を解析し、携帯端末１００が具備する携帯端末通信モジュール１２０がその通信サービスを利用することができるとき、携帯端末通信モジュール１２０の電源をＯＮにして、その機能を有効にして、通信ができるようにする。
駅の改札内から改札外に出る場合の動作も上述の動作とほぼ同一である。
【００５７】
図７は図６の例のドア開閉制御装置３０３の動作を示すフローチャートである。以下図７と図２を参照しながら図６の例の動作を説明する。ドア開閉制御装置３０３は、電源ＯＮ後、図７のフローチャートに示す処理を実行する。
【００５８】
まず、ドア開閉制御装置３０３はドア３０１に施錠するように命令を出し、ドア３０１は施錠する（ステップＳ４００）。その後、携帯端末１００に内蔵されている非接触ＩＣモジュール１７０からデータを受信するまで待機する（ステップＳ４０１）。携帯端末１００がＩＣカードリーダ／ライタ３０２に近づけられたとき、ＩＣカードリーダ／ライタ３０２は非接触ＩＣモジュール１７０と通信を行い、携帯端末１００の所有者情報を取得し、ドア開閉制御装置３０３に転送する。これにより、ドア開閉制御装置３０３は、ステップＳ４０１でＹｅｓと判別する。ドア開閉制御装置３０３は、正しく所有者情報を受信できた場合、その所有者情報からその携帯端末を所持している人物が入場を許可された人物かどうかを判定する（ステップＳ４０２）。入場が許可された人物であれば（ステップＳ４０２；Ｙｅｓ）、ドア３０１を開錠する（ステップＳ４０３）。さらに、ドア開閉制御装置３０３は、エリア内で提供されている無線通信サービスの情報をＩＣカードリーダ／ライタ３０２を介して、非接触ＩＣモジュール１７０に送信する（ステップＳ４０４）。非接触ＩＣモジュール１７０は、通知された情報を制御部１１０に伝達する。
【００５９】
ドア開閉制御装置３０３はタイマーをスタートさせる（ステップＳ４０５）。ドア３０１はドア３０１が開閉されたかを判定し（ステップＳ４０６）、開閉されたならタイマーをストップさせ（ステップＳ４０８）、再びドア３０１を施錠する（ステップＳ４００）。ドア３０１が開閉されていなければ、タイマーを調べ所定の時間が経過したか確認する（ステップＳ４０７）。この例では、所定の時間を６０秒とするが、この値はユーザが変更しても良い。所定の時間（６０秒）が経過していなければ、再びドア３０１の開閉確認を行う（ステップＳ４０６）。経過していれば、タイマーをストップさせ（ステップＳ４０８）、再びドア３０１を施錠する（ステップＳ４００）。
【００６０】
携帯端末１００の制御部１１０は、非接触ＩＣモジュール１７０を介してドア開閉制御装置３０３から、データを受信すると（図２ステップＳ２０１；Ｙｅｓ）、提供状況情報を解析しW-LANサービスが存在するかを調べる（ステップＳ２０２）。W-LANサービスが存在していると判別した場合（ステップＳ２０２；Ｙｅｓ）、即ち、ドア開閉制御装置３０３が、ドア３０１を通過したエリアにW-LANサービスが存在していることを示す提供状況情報を送信した場合、制御部１１０は携帯端末通信モジュール１２０すなわちW-LANモジュールの電源をＯＮにしてその機能を有効にする（ステップＳ２０３）。
【００６１】
続いて、携帯端末通信モジュール１２０が、所定時間（ここでは、３０秒）を計測するための内部タイマーをスタートさせる（ステップＳ２０４）。その後、制御部１１０は携帯端末通信モジュール１２０がW-LAN基地局を捕捉していてW-LAN通信が可能かどうかを、携帯端末通信モジュール１２０と通信を行って判別する（ステップＳ２０６）。携帯端末通信モジュール１２０がW-LAN通信が可能であれば（ステップＳ２０６；Ｙｅｓ）、内部タイマーをストップさせ（ステップＳ２０５）、再びタイマーをスタートさせる（ステップＳ２０４）。
【００６２】
一方、W-LAN通信が不可能であれば（ステップＳ２０６；Ｎｏ）、内部タイマーが３０秒を計時したか否か、即ち、タイマースタートから３０秒が経過したかどうかを判別する（ステップＳ２０７）。３０秒が経過していなければ（ステップＳ２０７；Ｎｏ）、W-LAN通信が可能かどうか再び確認する（ステップＳ２０６）。経過していれば（ステップＳ２０７；Ｙｅｓ）、内部タイマーをストップさせ（ステップＳ２０８）、携帯端末通信モジュール１２０の電源をＯＦＦにしてその機能を無効にする（ステップＳ２０９）。
【００６３】
その後、フローはステップＳ２０１に戻り、上述の処理を繰り返す。
【００６４】
図６の入場管理装置３００によれば、携帯端末１００の使用者は、ドア３０１内のエリア内に進入する際、意識せずにエリア内でサービスが提供されているW-LANを有効にすることができる。
【００６５】
なお、図３〜図５に示した変形例を図６の構成例に適用することも可能である。例えば、上述の説明では、図６の構成で、ドア３０１内のエリアに進入した際に、携帯端末１００がエリア内で提供されているW-LANサービスに加入していない場合、ステップＳ２０２で、Ｎｏとなって、制御部１１０は携帯端末通信モジュール１２０の電源をＯＦＦにして、機能を無効にする。この場合に、図５のフローに示した手順を実行して、このエリア内でW-LANサービスが提供されているが、そのサービスに加入していないため使用できないことを表示部１４０に表示したり、そのサービスへの加入を促す表示をさせても良い。
【００６６】
また、図６の例で、エリア内で提供されている無線通信サービスの情報を非接触ＩＣモジュール１７０を通して携帯端末１００に送信する際（ステップＳ４０４）、その無線通信サービスに接続するために必要となる暗号キー、制御パラメータ等の設定情報も共に送信し、携帯端末１００の制御部１１０はそれを受信して携帯端末通信モジュール１２０に必要な設定を行うようにしても良い。
【００６７】
図６の例では、あるエリアへの進入時に非接触ＩＣモジュール１７０を使う場合について示したが、それ以外にも、非接触ＩＣモジュール１７０を使用した際にその近辺でW-LANサービスが提供されていれば、ＩＣカードリーダ／ライタがそのW-LANサービスが提供されていることを非接触ＩＣモジュール１７０を通して通知し、制御部１１０はそれを受信して、携帯端末通信モジュール１２０の電源をＯＮにして、機能を有効にしても良い。例えば、セルフサービスの喫茶店で、商品を購入する際に非接触ＩＣモジュール１７０を使用して代金を払った場合（ＩＣモジュールに蓄積されているプリペイドからの引き落とし、或いは、クレジット処理等）、その喫茶店店内でW-LANサービスが提供されていれば、ＩＣカードリーダ／ライタはそのW-LANサービス提供情報を代金の決済情報と共に通知し、携帯端末の制御部１１０はそれを受信して携帯端末通信モジュール１２０の電源をＯＮにして、機能を有効にする。
【００６８】
また、非接触ＩＣモジュール１７０は、それが使用されたとき、「使用されたこと」を制御部１１０に通知し、制御部１１０はその通知を受け取ったとき、携帯端末通信モジュール１２０の電源をＯＮにして、機能を有効にしても良い。例えば、図６の入場管理装置３００で、入場者管理を行う場合の例を挙げる。その動作のフローチャートを図８に示す。
【００６９】
まず、携帯電話無線システム電源のＯＮ（ステップＳ５０１）後、非接触ＩＣモジュール１７０は、ＩＣカードリーダ／ライタ３０２と通信を行ったことを制御部１１０に通知し、制御部１１０はその通知を受信したとき（ステップＳ５０２；Ｙｅｓ）、携帯端末通信モジュール１２０の電源をＯＮにして機能を有効にする（ステップＳ５０３）。
【００７０】
その後、携帯端末１００の所有者がドア３０１を通って無線通信サービスが提供されているエリアに入ると（ステップＳ５０６；Ｙｅｓ）、携帯端末通信モジュール１２０を使用して無線通信サービスを利用することができる（ステップＳ２０４→Ｓ２０６→Ｓ２０５→Ｓ２０４→・・・）。
その後、携帯端末１００の所有者が無線通信サービスの提供されているエリアから出ると、携帯端末通信モジュール１２０は無線通信サービスを利用できなくなるが（ステップＳ５０６；Ｎｏ）、所定の時間（例えば、３０秒）無線通信サービスを利用することができない状態が持続した場合（ステップＳ５０７；Ｎｏ）、携帯端末通信モジュール１２０は制御部１１０にそれを通知し、制御部１１０はその通知を受信したとき、携帯端末通信モジュール１２０の電源をＯＦＦにし、機能を無効にする（ステップＳ５０９）。ここで所定の時間を３０秒とするが、この値は他の値でも、ユーザが変更しても良い。
【００７１】
また、制御部１１０は、携帯端末通信モジュール１２０を制御する際、携帯端末通信モジュール１２０の動作状態を変更しても良い。例えば、図６の例で、非接触ＩＣモジュール１７０は、ＩＣカードリーダ／ライタ３０２と通信を行ったことを制御部１１０に通知し、制御部１１０はその通知を受信したとき、携帯端末通信モジュール１２０が無線通信サービスの捕捉動作を行う頻度を上げる（例えば、複数の頻度のうちから１ランク上げる、頻度を設定する割り込みタイマの設定を変更する等）。
【００７２】
また、携帯端末１００の所有者がその無線通信サービスの提供されているエリアから出ると、携帯端末通信モジュール１２０はその無線通信サービスを利用できなくなるが、所定の時間、その無線通信サービスを利用することができない状態が持続した場合、携帯端末通信モジュール１２０は制御部１１０にそれを通知し、制御部１１０はその通知を受信したとき、携帯端末通信モジュール１２０が無線通信サービスの捕捉動作を行う頻度を下げる（例えば、複数の頻度のうちから１ランク下げる、頻度を設定する割り込みタイマの設定を変更する等）。
【００７３】
この動作のフローチャートは、図９に示すように、図８のフローチャートでステップＳ５０３を「捕捉動作頻度を上げる」にし、ステップ５０９を「捕捉動作頻度を下げる」に変更したものになる。
【００７４】
図１の携帯端末１００は携帯端末通信モジュール１２０と広域無線通信モジュール１６０の2種類の通信モジュールを持っている。これらの通信モジュールの優先度を決めておき、携帯端末１００で通信を行う際、優先度の高い通信モジュールを優先的に利用して通信を行うようにしても良い。優先度の高い通信モジュールがそのエリアで利用できる無線通信サービスが提供されていない等の理由で、優先度の高い通信モジュールで通信ができなかったり、優先度の高い通信モジュールを利用したそのエリアでの無線通信サービスでは携帯端末１００のユーザの要求を満たせなかったりした場合、優先度の低い通信モジュールを利用して通信を行う。使用しない通信モジュールについては、電力の供給を停止して、ＯＦＦにすることが望ましい。
【００７５】
例えば、図１の携帯端末１００では、携帯端末通信モジュール１２０としてW-LANモジュールを利用し、広域無線通信モジュール１６０として携帯無線システムを利用している。W-LANは通信速度が高速で通信料金が安価であるという長所を持つが、通信可能エリアが狭いという短所を持つ。一方、携帯無線システムは通信可能エリアが広いという長所を持つが、通信速度が低速で通信料金が高価であるという短所を持つ。
【００７６】
そこで、W-LANモジュールである携帯端末通信モジュール１２０の優先度を高くし、携帯無線システムである広域無線通信モジュール１６０の優先度を低く設定すると、W-LANサービスが提供されているエリアではW-LANを優先的に利用するので、高速で安価な通信を利用することができる。W-LANが提供されていないエリアでは携帯無線システムを利用することになるが、通信を行うというユーザの希望を満たすことができる。これらの優先度は、例えば、記憶部１３０にデフォルトで設定される。或いは、ユーザが、入力部１５０を操作して、優先度情報を入力して記憶部１３０に記憶させたり、デフォルトの優先度を変更できるようにしてもよい。
【００７７】
ただし、携帯電話無線システム（広域無線通信モジュール１６０）の優先度を高くすると、W-LAN使用可能エリアでも携帯無線システムを使用してしまい、W-LANを使用する機会が無くなる虞がある。例えば、図１０に示す携帯無線電話使用可能でＷ−ＬＡＮ使用不可であるエリアにある携帯端末１００（図１０状態(a)）が、図１０に示す携帯無線電話が使用可能でかつＷ−ＬＡＮが使用可能であるエリアに移動した（図１０状態(b)）としても、携帯無線システムを使用し、W-LANを使用する機会が無い。
【００７８】
そこで、非接触ＩＣモジュール１７０は、ＩＣカードリーダ／ライタ２３０（３０２）と通信を行ったことを制御部１１０に通知し、制御部１１０はその通知を受信したとき、携帯端末通信モジュール１２０と広域無線通信モジュール１６０の２つの通信モジュールの優先度を変更しても良い。
【００７９】
一例として、例えば、電源の確保の難しい屋外では携帯無線システムである広域無線通信モジュール１６０を優先させ、電源の確保の容易な屋内ではW-LANモジュールである携帯端末通信モジュール１２０を優先させる実施例を図１１と図１２を参照して以下に説明する。
【００８０】
図６の入場管理装置３００が設置されている建物３１０があり、建物３１０の外（図１１の状態(c)）から建物３１０の中に移動する際に、ドア開閉制御装置３０３は、携帯端末１００の非接触ＩＣモジュール１７０と通信を行い、携帯端末１００の所有者が屋内への進入を許可された人物であるかどうかの確認を行う。それと同時に、非接触ＩＣモジュール１７０は制御部１１０に、非接触ＩＣモジュール１７０を使用したことを通知する。その際、制御部１１０はW-LANモジュールである携帯端末通信モジュール１２０の優先度を上げ、携帯無線システムである広域無線通信モジュール１６０より優先的に使用するようにする（図１１の状態(d)）。これにより、建物３１０の屋内では、高速で安価なW-LAN通信を優先的に利用できるようになる（図１１の状態(e)）。また、携帯端末１００が建物３１０の屋外に出たときは、W-LANモジュールである携帯端末通信モジュール１２０はW-LAN通信サービスが使用できなくなる（図１２の状態(g)）。その状態が所定の時間継続した場合、制御部１１０は携帯無線システムである広域無線通信モジュール１６０の優先度を上げ、W-LANモジュールである携帯端末通信モジュール１２０より優先的に使用するようにする。これにより、屋外では、通信可能エリアが広い携帯無線システムを優先的に利用できるようになる（図１２状態(h)）。
【００８１】
この動作のフローチャートは、図１３に示すように、図８のフローチャートでステップＳ５０３を「W-LANを優先」に切り換えるステップＳ５０３”にし、ステップ５０９を「携帯無線システムを優先」に切り換えるステップＳ５０９”に変更したものになる。
【００８２】
なお、この発明は上記実施の形態に限定されず、種々の変形及び応用が可能である。
例えば、上記実施の携帯においては、携帯端末通信モジュール１２０と広域無線通信モジュール１６０とは、それぞれ、１つの通信機能を備えていたが、複数の通信機能をそなえていてもよい。例えば、携帯端末通信モジュール１２０が規格や周波数帯域、変調方式の異なる複数の通信機能を備え、広域無線通信モジュール１６０が世代の異なる携帯電話通信機能とＰＨＳ機能とを備えるようにしてもよい。この場合、制御部１１０は、例えば、使用する機能を有効として、使用しない機能を無効とする。そして、ある通信モジュールについて、全ての機能を使用しない場合には、その電源をＯＦＦする。また、携帯端末通信モジュール１２０が有する複数の通信機能及び／又は広域無線通信モジュール１６０が有する複数の通信機能との間で優先度を付けて、非接触ＩＣモジュール１７０の通信内容（又は通信したこと）に応じて、優先度を変更してもよい。
【００８３】
さらに、複数の携帯端末通信モジュール１２０を配置したり、複数の広域無線通信モジュール１６０を配置してもよい。例えば、規格や周波数帯域、変調方式の異なる複数の携帯端末通信モジュール１２０を配置したり、世代の異なる携帯電話通信用の広域無線通信モジュール１６０やＰＨＳ用広域無線通信モジュール１６０を配置する等してもよい。この場合、制御部１１０は、例えば、使用する通信モジュールの電源をＯＮして有効として、使用しない通信モジュールの電源をＯＦＦして無効とする。また、複数の携帯端末通信モジュール１２０及び／又は複数の広域無線通信モジュール１６０の間で優先度を付けて、非接触ＩＣモジュール１７０の通信内容（又は通信したこと）に応じて、優先度を変更してもよい。
【００８４】
上記実施の形態においては、制御情報を送受信するための装置として、非接触ＩＣモジュール１７０とＩＣカードリーダ／ライタ２３０を使用した。これに限定されず、任意の通信手法を使用可能である。
【００８５】
携帯端末１００として携帯電話端末を例示したが、所謂ＰＤＡ（Personal Data Assistance），パーソナルコンピュータ（ノート型、ラップトップ型等）、ウエアラブルコンピュータ、車両・船舶などの移動体に設定されたコンピュータなどを広く利用可能である。
【００８６】
また、専用のコンピュータシステムに限定されず、通信機能を備える任意のコンピュータを用いて実現可能である。即ち、コンピュータを上述の携帯端末として機能・動作させるためのコンピュータプログラムを作成し、配布し、貸与し、これをコンピュータにインストールして、上記携帯端末として、これを使用、譲渡、貸与などしてもよい。
【図面の簡単な説明】
【００８７】
【図１】この発明の実施の形態に係る携帯端末の構成を示すブロック図である。
【図２】この発明の実施の形態に係る携帯端末の動作を示すフローチャートである。
【図３】図２に示すフローチャートの変形例を示すフローチャートである。
【図４】図２に示すフローチャートの変形例を示すフローチャートである。
【図５】図２に示すフローチャートの変形例を示すフローチャートである。
【図６】この発明の実施の形態に係る携帯端末を利用した例を示す図である。
【図７】この発明の実施の形態に係る携帯端末を利用した入場管理装置の動作を示すフローチャートである。
【図８】この発明の実施の形態に係る携帯端末を利用した例の動作を示すフローチャートである。
【図９】図８に示すフローチャートの変形例を示すフローチャートである。
【図１０】この発明の実施の形態に係る携帯端末を利用した例を示す図である。
【図１１】この発明の実施の形態に係る携帯端末を利用した例を示す図である。
【図１２】この発明の実施の形態に係る携帯端末を利用した例を示す図である。
【図１３】図８に示すフローチャートの変形例を示すフローチャートである。
【符号の説明】
【００８８】
１００  携帯端末
１１０  携帯端末の制御部
１１１  ＣＰＵ
１１２  ＲＯＭ
１１３  ＲＡＭ
１２０  携帯端末の携帯端末通信モジュール
１３０  携帯端末の記憶部
１３１  フラッシュメモリ
１４０  携帯端末の表示部
１４１  液晶ディスプレイ装置
１５０  携帯端末の入力部
１５１  キーボード
１５２  タッチパネル
１６０  携帯端末の広域無線通信モジュール
１７０  携帯端末の非接触ＩＣモジュール
２１０  W-LAN  基地局
２２０  携帯電話システム無線基地局
２３０  ＩＣカードリーダ／ライタ
３００  入場管理装置
３０１  ドア
３０２  ＩＣカードリーダ／ライタ
３０３  ドア開閉制御装置
３１０  建物
【図１】
2007243844.tif 000003
【図２】
2007243844.tif 000004
【図３】
2007243844.tif 000005
【図４】
2007243844.tif 000006
【図５】
2007243844.tif 000007
【図６】
2007243844.tif 000008
【図７】
2007243844.tif 000009
【図８】
2007243844.tif 000010
【図９】
2007243844.tif 000011
【図１０】
2007243844.tif 000012
【図１１】
2007243844.tif 000013
【図１２】
2007243844.tif 000014
【図１３】
2007243844.tif 000015
【手続補正書】
【提出日】平成19年1月22日(2007.1.22)
【手続補正１】
【補正対象書類名】特許請求の範囲
【補正対象項目名】請求項１
【補正方法】変更
【補正の内容】
【請求項１】
ＩＣモジュールと、
データを送受信する無線通信モジュールと、
前記無線通信モジュールの機能の有効／無効を切り替えるモジュール制御部と、
を備えた携帯端末において、
前記ＩＣモジュールは、外部のＩＣカードリーダ／ライタと通信を行い、
前記モジュール制御部は、前記ＩＣモジュールの通信に従って、前記無線通信モジュールの機能を有効にする、ことを特徴とする携帯端末。
【手続補正２】
【補正対象書類名】特許請求の範囲
【補正対象項目名】請求項２
【補正方法】変更
【補正の内容】
【請求項２】
前記ＩＣカードリーダ／ライタは、それが設置された付近の場所での無線通信サービスの提供状況を示す無線サービス提供状況情報を前記ＩＣモジュールに送信し、
前記ＩＣモジュールは、受信した前記無線通信サービスの提供状況情報を前記モジュール制御部に送信し、
前記モジュール制御部は、前記無線通信サービス提供状況情報より、前記無線通信サービスが提供されているか否かを判別し、提供されていると判別した場合、前記無線通信モジュールの機能を有効にし、提供されていないと判別した場合、前記無線通信モジュールの機能を無効にする、ことを特徴とする請求項１に記載の携帯端末。
【手続補正３】
【補正対象書類名】明細書
【補正対象項目名】０００２
【補正方法】変更
【補正の内容】
【０００２】
特許文献１に開示されている携帯電話は、特定の場所に入退場する際にＩＣカードを使うことにより、携帯電話のある場所を検出し、メモリが保持する識別データに基づいて、その場所での通話動作を禁止したり許可したりする。
【手続補正４】
【補正対象書類名】明細書
【補正対象項目名】０００７
【補正方法】変更
【補正の内容】
【０００７】
上記目的を達成するため、この発明の携帯端末は、
ＩＣモジュールと、
データを送受信する無線通信モジュールと、
前記無線通信モジュールの機能の有効／無効を切り替えるモジュール制御部と、
を備えた携帯端末であって、
前記ＩＣモジュールは、外部のＩＣカードリーダ／ライタと通信を行い、
前記モジュール制御部は、前記ＩＣモジュールの通信に従って、前記無線通信モジュールの機能を有効にする。
【手続補正５】
【補正対象書類名】明細書
【補正対象項目名】０００８
【補正方法】変更
【補正の内容】
【０００８】
例えば、前記ＩＣカードリーダ／ライタは、それが設置された付近の場所での無線通信サービスの提供状況を示す無線サービス提供状況情報を前記ＩＣモジュールに送信し、前記ＩＣモジュールは、受信した前記無線通信サービスの提供状況情報を前記モジュール制御部に送信し、前記モジュール制御部は、前記無線通信サービス提供状況情報より、前記無線通信サービスが提供されているか否かを判別し、提供されていると判別した場合、前記無線通信モジュールの機能を有効にし、提供されていないと判別した場合、前記無線通信モジュールの機能を無効にする。
【手続補正６】
【補正対象書類名】明細書
【補正対象項目名】００２５
【補正方法】変更
【補正の内容】
【００２５】
制御部１１０は例えば演算処理等を行うＣＰＵ１１１や、動作プログラムを格納するROM (Read Only Memory)１１２、ワーキングメモリとして機能するRAM (Random Access Memory)１１３等を有する装置である。
制御部１１０は、以下の各装置と接続し、各装置を制御する。例えば、制御部１１０は、非接触ＩＣモジュール１７０を制御して、非接触ＩＣモジュール１７０本来の処理、例えば、本人認証、電子マネーのチャージ・引き落とし等の制御を実行する。また、制御部１１０は、非接触ＩＣモジュール１７０を介して外部のＩＣカードリーダ／ライタ２３０から提供された無線通信サービスの提供状況情報に基づいて、近傍で提供されているW-LANサービスの内容を判別し、携帯端末通信モジュール１２０の電源をオン・オフしたり、携帯端末通信モジュール１２０と広域無線通信モジュール１６０との間の優先度の切り換え（どちらを使用するかの切り換え）の制御などを行う。